(57)【要約】【課題】分割された電柱を用いて電柱を設置する際、構造が単純で、安価に製造できる電柱設置具、及び、容易に電柱を設置できる電柱設置方法の提供を目的とする。【解決手段】電柱用の連結部材２は、電線３０が収容される筒状の第一ポール４と、地面等に立設された第二ポール５とを略同軸心で連結する連結部材２であって、上部筒開口及び下部筒開口を有する筒状本体を備え、該筒状本体の上部に、上部筒開口から挿し込まれた第一ポール４の下端部を固定する第一ポール固定部が設けられ、筒状本体の下部に、下部筒開口から挿し込まれた第二ポール５の上端部を固定する第二ポール固定部が設けられ、更に、筒状本体における第一ポール固定部の下方位置に、第一ポールの下端部からの電線３０を引き出すための引出口が形成された構成にしてある。【選択図】図１
2008054417.tif 000002
【特許請求の範囲】
【請求項１】
電線が収容される筒状の第一ポールと、地面等に立設された第二ポールとを略同軸心で連結する連結部材であって、上部筒開口及び下部筒開口を有する筒状本体を備え、該筒状本体の上部に、上部筒開口から挿し込まれた第一ポールの下端部を固定する第一ポール固定部が設けられ、筒状本体の下部に、下部筒開口から挿し込まれた第二ポールの上端部を固定する第二ポール固定部が設けられ、更に、筒状本体における第一ポール固定部の下方位置に、第一ポールの下端部からの電線を引き出すための引出口が形成されていることを特徴とする電柱用の連結部材。
【請求項２】
第一ポールとして、電線管を用いることを特徴とする請求項１に記載の電柱用の連結部材。
【請求項３】
請求項１または請求項２に記載の連結部材と、第一ポールの上端部に冠着され、電線を第一ポール内に取り込むための取込口が形成された頂部材とを備えたことを特徴とする電柱設置具。
【発明の詳細な説明】
【技術分野】
【０００１】
本発明は、電柱用の連結部材、電柱設置具及び電柱設置方法に関するものである。
【背景技術】
【０００２】
通常、建築現場における給電は、鋼管等により構成される仮設電柱を立設し、この仮設電柱に架空電線を引き込んで行われる。また、近年、個人住宅への給電に、引き込み用電柱を立設して架空電線を引き込むといったことが行われている。
【０００３】
これらの仮設電柱や引き込み用電柱は、道路を走行する車両等の邪魔にならないよう、例えば地上５．５ｍ〜６ｍ以上等といった所定の高さを必要とし、且つ、電柱下部の地面への埋設深さについても例えば１ｍ以上等必要とされる。従って、電柱は例えば全長６．５ｍ以上必要であり、このような長尺且つ重量のある電柱を設置現場まで運搬し、建柱した後、電柱上端の高所において中空の電柱内へ電線を引き込み、収容するといった作業を行うことは非常に困難であった。
【０００４】
そこで、長尺の電柱を使用することなく電柱を設置する技術が、下記特許文献１に開示されている。即ち、電柱を、地中へ埋設する部材と、該埋設部材の上端に起立させる起立管体とに分割して構成し、これら埋設部材と起立管体とをフランジ及び蝶番を用いて連結し、建柱するといった仮設電化柱に関する技術が存在する。
【０００５】
また、電柱上端での高所作業を行うことなく電柱を設置する方法として、電柱の地上に近い位置に開口部を設け、該開口部から挿入した電線を電柱の頂部に向けて、押し上げるといった電線敷設方法が下記特許文献２に開示されている。
【０００６】
【特許文献１】特開２００３−３０４６２８号公報
【特許文献２】特開平１−１１４３２１号公報
【発明の開示】
【発明が解決しようとする課題】
【０００７】
しかしながら、特許文献１に記載の電柱は、電柱端部にフランジを溶接した構造を有し、かかる構造は製造及び設置の際に手間やコストがかかる上、この電柱は非常に重量があるために作業員が一人で設置するといったことは非常に困難である。
【０００８】
また、特許文献２に記載の電柱敷設方法は、電線自体にかなりの重量があるので、例えば５ｍといった長さを重力に逆らって押し上げる作業は多大な労力を要し、作業効率がよくない。
【０００９】
本発明は、上記した従来の問題点に鑑みてなされたものであって、分割された電柱を用いて電柱を設置する際、構造が単純で、安価に製造できる電柱設置具、及び、容易に電柱を設置できる電柱設置方法の提供を目的とする。
【課題を解決するための手段】
【００１０】
上記目的を達成するために、本発明に係る電柱用の連結部材は、電線が収容される筒状の第一ポールと、地面等に立設された第二ポールとを略同軸心で連結する連結部材であって、上部筒開口及び下部筒開口を有する筒状本体を備え、該筒状本体の上部に、上部筒開口から挿し込まれた第一ポールの下端部を固定する第一ポール固定部が設けられ、筒状本体の下部に、下部筒開口から挿し込まれた第二ポールの上端部を固定する第二ポール固定部が設けられ、更に、筒状本体における第一ポール固定部の下方位置に、第一ポールの下端部からの電線を引き出すための引出口が形成された構成にしてある。
【００１１】
また、前記構成において、第一ポールとして、電線管を用いるものである。
【００１２】
そして、本発明に係る電柱設置具は、前記した各構成を有する連結部材と、第一ポールの上端部に冠着され、電線を第一ポール内に取り込むための取込口が形成された頂部材とを備えたものである。
【発明の効果】
【００１３】
本発明に係る電柱用の連結部材によれば、筒状本体に設けられた第一ポール固定部と第二ポール固定部とにより、電線が収容される第一ポールと、地面等に立設された第二ポールとを連結するので、連結部材の構造は非常に単純なものとなり、容易に、且つ、安価に製造できる。
【００１４】
また、第一ポールとして、電線管を用いるので、水道管や冷媒配管等のように耐圧性が必要でない電線管は、肉厚が薄く軽量であり、設置作業負担が軽減される。
【００１５】
そして、本発明に係る電柱設置具によれば、連結部材と、頂部材とを備え、電線の収容された第一ポールの上端部に頂部材を冠着し、第一ポールと第二ポールとを連結部材によって連結するだけで、容易に電柱を設置することができる。
【発明を実施するための最良の形態】
【００１６】
本発明の最良の実施形態を図面に基づいて説明する。ここに、図１は本発明の一実施形態に係る電柱設置具１を用いて電柱４０を設置した状態の全体図である。同図において、この実施形態に係る電柱設置具１は、電線３０が収容される第一ポール４と下部が地面に埋設された第二ポール５とを同軸心で上下に連結する連結部材２と、第一ポール４の上端部に冠着された頂部材３とから構成される。
【００１７】
図２（ａ）は前記連結部材２の平面図、同図（ｂ）は正面図、同図（ｃ）は右側面図である。各図に示すように、連結部材２は、例えば長さ２５０ｍｍ、外径６０ｍｍ、内径５２ｍｍの断面略円形状の鉄製の筒状本体９から主として構成される。
【００１８】
筒状本体９は上部筒開口７及び下部筒開口８を有する。また、筒状本体９の上部に、上部筒開口７から挿し込まれた第一ポール４の下端部１８近傍を固定する第一ポール固定部１０が設けられている。更に、筒状本体９の下部に、下部筒開口８から挿し込まれた第二ポール５の上端部１９近傍を固定する第二ポール固定部１１が設けられている。
【００１９】
第一ポール固定部１０は、以下の構成を有する。即ち、筒状本体９の上部筒開口７から筒状本体９の長手方向５分の２程度の位置に、例えば、直径６ｍｍのボルトが筒状本体９の外面から筒内にねじ込まれて止具１２を構成している。この止具１２によって、第一ポール４の下端部１８が係止されている。更に、筒状本体９の上部筒開口７から長手方向５分の１程度の位置に、同様に直径６ｍｍのボルトが二箇所でねじ込まれて固定具１３，１３を構成し、この固定具１３，１３により第一ポール４の下端部１８近傍の外周面が筒状本体９に固定されている。
【００２０】
第二ポール固定部１１についても、同様に、筒状本体９の下部筒開口８から長手方向５分の２程度の位置にねじ込まれたボルトにより構成される止具１４によって、第二ポール５の下端部１９が係止されている。また、筒状本体９の下部筒開口８から長手方向５分の１程度の位置に二箇所でねじ込まれたボルトによって構成される固定具１５，１５により第二ポール５上端部１９近傍の外周面が固定されている。
【００２１】
筒状本体９における第一ポール固定部１０の下方位置には、第一ポール４の下端部からの電線を引き出すための引出口１６，１６が形成されている。即ち、筒状本体９の長手方向中央部には正面及び背面の２箇所に、例えば短径約３０ｍｍ、長径約５０ｍｍの楕円形状の貫通孔が形成され、これらの貫通孔が引出口１６，１６を構成している。
【００２２】
また、筒状本体９の引出口１６，１６の近傍には、アンカーボルト３１に接続された支線３３を止着する支線フック２０が設けられている。支線フック２０は、例えば直径約４０ｍｍのリング状（内径は２５ｍｍ）であり、筒状本体９の側壁に設けられた貫通孔に筒内から挿入されて溶接固定された直径１０ｍｍのボルトに螺止されている。
【００２３】
第一ポール４及び第二ポール５は共に、例えば外径５１ｍｍの断面略円状の電線管１７を用いている。これら第一ポール４及び第二ポール５の外径は、収容される電線の種類及び本数にあったものが選定されるが、３０ｍｍ〜８０ｍｍ程度のものが好ましい。３０ｍｍより小さい場合は収容できる電線の太さや本数が限定され、８０ｍｍより大きい場合はポールの重量が大きくなりすぎて、建柱作業が困難となる。電線管の規格品を用いる場合は外径３９ｍｍ，５１ｍｍ，６３ｍｍ，７５ｍｍ等といったものを用いることができる。
【００２４】
電線管１７は未使用のものであってもよく、使用済みのものであってもよい。また、電線管１７は合成樹脂製、金属製のいずれであってもよいが、金属製のものを用いると紫外線劣化することなく、強度も高くよい。金属製の電線管の中でも、特に、薄肉の電線管を用いた場合は軽量であるので、一人で電柱を設置する際に作業が容易となる。
【００２５】
第一ポール４に収容される電線３０としては、給電線、電話線、ケーブルテレビ又は光ファイバ等の通信線が含まれる。また、第二ポール５は地中などに約１ｍ程度埋めて立設されている。
【００２６】
また、第一ポール４下部には開閉器を収容した開閉器収容箱３５と、電力量計２１とが取り付けられている。
【００２７】
図３（ａ）は頂部材３を構成する頂部材本体２８の平面図、（ｂ）は頂部材３の正面図である。同図に示すように、頂部材３は、下面開口を有する断面略円形筒状の頂部材本体２８を備えている。頂部材本体２８の上面開口には架設板３８が架設されている。架設板３８に形成された雌ネジ穴に、例えば直径６ｍｍのボルトである結合具３７が螺止されることにより、円盤状の蓋部材２２が頂部材本体２８を蓋った状態で着脱自在に固定されている。蓋部材２２は、頂部材本体２８よりも広径に形成されて、頂部材本体２８の上部開口からの第一ポール４への雨やゴミ等の進入防止のため設けられている。
【００２８】
頂部材３の正面及び背面の２箇所には、架空電線３２に接続された電線３０を第一ポール４内に取り込むための取込口２３，２３が形成されている。取込口２３は正面視略Ｕ字状の貫通孔であり、前記電線３０を通すことのできる大きさとなっている。
【００２９】
頂部材本体２８には頂部材３の下部開口から挿し込まれた第一ポール４の上端部２４近傍を固定する第一ポール固定部２５が設けられている。第一ポール固定部２５は、以下の構造を有する。即ち、第一ポール４の上端部２４が例えば直径６ｍｍのボルトからなる止具２６により、下部開口から頂部材本体２８の全体の略２分の１の高さ位置に係止され、同様に直径６ｍｍのボルトである固定具２７，２７により固定されている。
【００３０】
また、頂部材３の上部には、アンカーボルト３１に接続された支線３４を止着する支線フック２９、及び、支線フック２９に対しリング開口面を直交配置させた引き込みフック３６が設けられている。支線フック２９及び引き込みフック３６は、連結部材２に設けられた支線フック２０と同様の構造を有する。尚、引き込みフック３６は支線フック２９と同様リング開口面を垂直方向に向けてもよい。
【００３１】
引続き、電柱設置具１を用いた電柱設置方法につき、以下に説明する。まず、電柱４０を設置する地面６等に第二ポール５の下部を埋設して、第二ポール５を立設する。
【００３２】
次に、第一ポール４を倒した状態で電線３０を収容する。第一ポール４への電線３０の収容作業は、第一ポール４の上端部２４を頂部材３の止具２６で係止し、固定具２７によって固定する。そして、図４に示すように、２箇所の取込口２３，２３からそれぞれ電線３０，３０を第一ポール４に取り込む。
【００３３】
ここで、電線３０の太さが非常に太い場合には、取込口２３，２３から電線３０，３０を取り込む作業が非常に困難となる。即ち、頂部材３を構成する蓋部材２８を頂部材本体２８に固定したままの状態で電線３０を取込口２３に通すことは、電線が占有する面積に対する取込口２３，２３の開口面積の比率が狭くなるために、かなりの労力を有する。
【００３４】
そこで、このような場合には、結合具３７を緩めて外し、更に蓋部材２２を架設板３８から外した状態で、電線３０，３０を取り込む。頂部材本体２８には上面開口４５，４５が形成されており、蓋部材２２が外されているときは、取込口２３，２３の開口面積が上面開口４５，４５の面積分だけ広くなる。この広くなった取込口２３，２３から電線３０を取り込んだ後、蓋部材２２を架設板３８に固定することで、容易に外径の大きな電線３０を取り込むことができる。
【００３５】
電線３０，３０は、将来、架空電線３２に接続するための給電線又は電話線等の通信線等であるが、架空電線３２との接続作業は電柱設置後に電力供給会社によって行われ、この時点では、未接続の状態である。また、支線フック２９に支線３４の一端を止着させ、支線３４の他端は垂らしておく。
【００３６】
図５に示すように、第一ポール４の下端部を、連結部材２の筒状本体９の止具１２で係止し、固定具１３，１３で固定する。そして、第一ポール４から連結部材２へと通した電線３０，３０を、引出口１６，１６から引き出す。
【００３７】
最後に、予め地上に立設しておいた第二ポール５の上端部１９を、連結部材２の下部筒開口９に挿入して第二ポール固定部１１に固定する。頂部材３の支線フック２９に止着した支線３４の自由端をアンカーボルト３１に接続して支持させる。また、連結部材２の支線フック２０にも支線３３を止着し、アンカーボルト３１により支持させる。
【００３８】
これで、第一ポール４と第二ポール５とが連結され、電柱４０の立設作業が完了したこととなる。そして、電柱立設作業終了後、電力量計２１及び開閉器収容箱３５を第一ポール４に取り付け、電線３０，３０と電気接続する。
【００３９】
以上より、予め寝かせた状態で電線３０を収容しておいた第一ポール４と、地面などに立設しておいた第二ポール５とを、第一ポール固定部１０と第二ポール固定部１１とを有する連結部材２によって連結固定するので、電柱４０を非常に容易に設置できる。即ち、電線３０は非常に重量があり、扱いにくいために、電柱立設後に梯子やリフト等に上って高所で電線収容作業を行うことは大変な重労働となるが、本実施形態ではこのような高所での電線取り扱い作業を行う必要がなく、非常に容易に電柱４０を設置できる。
【００４０】
また、従来のように、例えば５ｍといった長さの重量のある電線を、電柱の下部に設けた開口から重力に逆らって押し上げるといった作業を行う必要がないので、複数の作業員によって長時間かけて作業するといったこともなく、作業員が一人であっても、設置が可能となる。
【００４１】
また、連結部材２及び頂部材３は構造が非常に簡素であるため、製造が容易で、且つ、安価に製造できる。また、電柱設置作業においても、連結部に溶接された大きなフランジをボルトとナットにより強力に締め付け固定するといったこともなく、単純な軽作業により、建柱できる。
【００４２】
そして、第一ポール４及び第二ポール５に電線管を用いているので、水道管や冷媒配管等のように耐圧性が必要でなく、管の肉厚を薄くでき、軽量化が図れ、電柱設置作業時の負担が軽減される。
【００４３】
更に、電線管として使用済みのものを再利用すると、建物、施設や設備の解体作業等において大量に排出され、廃棄される使用済み電線管を、有効利用することができる。従って、ゴミとなるはずの廃材を用いるので、コストが低減され、地球環境にもよい。電線管は通常、規格により長さが３．６ｍ〜４ｍ程度となっているので、このような電線管を２本連結すれば、電柱４０に必要とされる高さを十分確保することができる。また、電線管を適宜切断して所望の電柱高さに調整することも容易である。
【００４４】
電柱４０が仮設で設けられる場合には、電柱４０の構成部品である、連結部材２、頂部材３、第一ポール４及び第二ポール５は、全て軽量で、嵩張らず、単純な構造なので、電柱４０の分解、撤収作業も非常に容易にできる。分解撤収した上記各部品は再利用することができ、複数回の使用が可能である。
【００４５】
尚、上記の実施形態では、筒状本体９を例えば長さ２５０ｍｍ、外形６０ｍｍ、内径５２ｍｍの断面略円形状の鉄製としたが、本発明の電柱用の連結部材の筒状本体はそれに限定されるものでなく、筒状本体の内径は、第一ポール及び第二ポールを固定できる大きさであればよい。また、筒状本体の断面形状は、正方形状、矩形状又は多角形状等であってもよい。
【００４６】
また、支線フック２０，２９、及び、引き込みフック３６は直径約４０ｍｍのリング状（内径は２５ｍｍ）とし、筒状本体９又は頂部材３の側壁にボルトを用いて螺止したが、支線３３，３４等を止着できる大きさであれば他の大きさであってもよく、また、形状に関しても、例えば図６（ａ）に頂部材３に取り付けた例で示すように、正面視略円弧状のフックの上下端部を溶接固定した支線フック２９ａ又は引込フック３６ａでもよく、同図（ｂ）に示すような正面視鍵状のフックの端部を溶接固定又はボルトなどにより固定したものであってもよい。図示しないが支線フック２０についても同様である。
【００４７】
また、蓋部材２２は円盤状に形成されたが、図６（ａ）に示すように、円盤の周縁部が下方に突出した形状の蓋部材２２ａであってもよい。
【００４８】
また、開閉器収容箱３５と電力量計２１とは第一ポール４下部に取り付けたが、開閉器収容箱３５又は電力量計２１のいずれか一方又は双方を第２ポール５の上部又は長手方向中央部に取り付けてもよい。尚、電力量計２１は地上にいる人によって電力量を目視されるので、地上から例えば２．５ｍ以下の位置に設置される。
【００４９】
また、第一ポール、第二ポールとして電線管を用いたが、これに限定されず、水道管、ガス管や建築用ポールなどを用いてもよい。また、第一ポールの上端部及び下端部、第二ポールの上端部の固定方法は、ボルトを用いたが、嵌め合わせてもよく、接着剤等を用いてもよい。
【００５０】
また、第二ポール５は地中などに約１ｍ程度埋めて立設されたが、第二ポールが埋設されるのは地中に限られず、アスファルトやコンクリートを敷設したところであってもよく、強度を高める等の目的で、セメントなどにより固定してもよい。或いはアスファルトやコンクリート固化物の上面に第二ポールを載置し、複数のアンカーボルト及び支線で固定しても構わない。
【００５１】
また、第二ポール５は地中などに約１メートル程度埋めて立設したが、第二ポールを立設するのは地面等に限定されず、アスファルト、コンクリート等の上に立設したり、埋設したりしされてもよい。また、第二ポール５が埋設する深さは１メートルに限定されず、強度が維持される範囲で調整すればよい。更に、第２ポール５下部を地中に埋設することなく、アンカー等により地面に固定された筒状の基台等に第２ポールの下部を嵌合するといった方法により立設してもよい。
【図面の簡単な説明】
【００５２】
【図１】本発明の一実施形態に係る電柱設置具を用いて電柱を設置した状態の全体図である。
【図２】前記電柱設置具の連結部材の平面図、正面図及び右側面図である。
【図３】前記電柱設置具の頂部材の平面図及び正面図である。
【図４】前記電柱設置具を用いて電柱を設置する際の電柱上端の部分拡大図である。
【図５】前記電柱設置具を用いて電柱を設置する際の連結部材近傍の部分拡大図である。
【図６】本発明の他の実施形態に係る電柱設置具の頂部材の正面図である。
【符号の説明】
【００５３】
１  電柱設置具
２  連結部材
３  頂部材
４  第一ポール
５  第二ポール
６  地面
７  上部筒開口
８  下部筒開口
９  筒状本体
１０  第一ポール固定部
１１  第二ポール固定部
１６  引出口
１７  電線管
１８  第一ポールの下端部
１９  第二ポールの上端部
２３  取込口
３０  電線
【図１】
2008054417.tif 000003
【図２】
2008054417.tif 000004
【図３】
2008054417.tif 000005
【図４】
2008054417.tif 000006
【図５】
2008054417.tif 000007
【図６】
2008054417.tif 000008